(57)【要約】【課題】高い室内に建て込まれる間仕切り壁及びその施工方法を提供する。【解決手段】室内の天井部２に設置した、下向きにコ字形断面の受け溝３ａを有する上部ランナー３は、受け溝３ａを形成する一方のフランジ３ｂが、対面する他方のフランジ３ｃよりもケンドン式の建て込みが可能なように長く突き出された構成であり、室内の床部４に設置した、上向きにコ字形断面の受け溝５ａを有する下部ランナー５は、その受け溝５ａが前記上部ランナー３の受け溝３ａと上下に相対向する配置とされ、間仕切り壁パネル１は、その下端部が下部ランナー５の受け溝５ａ内で支持され、同間仕切り壁パネル１の上端部は上部ランナー３の受け溝３ａを形成する一方の下方へ長く突き出されたフランジ３ｂと他方の短いフランジ３ｃとで形成された受け溝３ａ内へ一定の呑み込み代ｍを確保した深さはめ込まれる。【選択図】図１
2012007337.tif 000002
【特許請求の範囲】
【請求項１】
高い階高の室に対応可能に背が高い間仕切り壁パネルを使用した間仕切り壁であって、
前記室内の天井部に設置した、下向きにコ字形断面の受け溝を有する上部ランナーは、同受け溝を形成する一方のフランジが、対面する他方のフランジよりもケンドン式の建て込みが可能なように長く突き出された構成であり、
前記室内の床部に設置した、上向きにコ字形断面の受け溝を有する下部ランナーは、その受け溝が前記上部ランナーの受け溝と上下に相対向する配置に設置され、
間仕切り壁パネルは、その下端部が下部ランナーの受け溝内で支持され、同間仕切り壁パネルの上端部は上部ランナーの受け溝を形成する一方の下方へ長く突き出されたフランジと他方の短いフランジとで形成された受け溝内へ一定の呑み込み代を確保した深さはめ込まれ支持されていることを特徴とする、高い階高に対応できる間仕切り壁。
【請求項２】
高い階高の室に対応可能に背が高い間仕切り壁パネルを建て込む間仕切り壁の施工方法であって、
前記室の天井部の下面へ、下向きにコ字形断面の受け溝を形成する一方のフランジが、対面する他方のフランジよりもケンドン式の建て込みが可能なように長く突き出された構成の上部ランナーを設置する工程と、
前記室の床部に、両側のフランジが上向きにコ字形断面の受け溝を形成した構成の下部ランナーを、その受け溝が前記上部ランナーの受け溝と上下に相対向する配置に設置する工程と、
階高が高い室に対応できる、背が高い間仕切り壁パネルは、その上部を、上部ランナーの受け溝を形成する一方の下方へ長く突き出したフランジの内側面へ持たれ掛からせた傾斜姿勢に仮支持させ、その傾斜姿勢のまま同上部を同フランジ面に沿って滑らせつつ上方へせり上げるケンドン式で受け溝内へ差し込み、垂直姿勢に立て起こして同間仕切り壁パネルの下端部を下部ランナーの受け溝内へ差し入れて支持させる工程とを特徴とする、高い階高に対応できる間仕切り壁の施工方法。
【請求項３】
下部ランナーは、上向きにコ字形断面の受け溝を形成する両側のフランジの内面であって、間仕切り壁パネルの呑み込み代の深さ位置に、同間仕切り壁パネルの下端を支持する突出部が水平に相対峙する配置で設けられており、間仕切り壁パネルの下端は前記突出部上に支持されていることを特徴とする、請求項１に記載した間仕切り壁。
【発明の詳細な説明】
【技術分野】
【０００１】
この発明は、階高が例えば４ｍ以上と高い室内に建て込まれる間仕切り壁と、及びその施工方法の技術分野に属する。
【背景技術】
【０００２】
クリーンルームなどの間仕切り壁としては、階高が例えば７ｍ乃至１１ｍと極めて高い施工例がある。前記のように階高が高い室の間仕切り壁の設置施工に際しては、従来、例えばライトゲージスチール（ＬＧＳ）を背中合わせに使用するとか、壁ピッチを細かくする、又は支持鉄骨を併設する（内蔵を含む）などの対策を講じて施工している。しかし、いずれの対策法を実施する場合にも、仮設足場を必要とすることには変わりがなく、広大な工場などで仮設足場を用意する場合には、間仕切り壁の施工だけを目的とした専用の足場も必要となる。しかし、前記専用の足場は他の関連工事の支障になり、工程の消化にも悪影響を及ぼすことはもとより、相応の仮設費用が必要になる。
【先行技術文献】
【特許文献】
【０００３】
【特許文献１】特開平７−１８７６４号公報
【特許文献２】特開平１１−９３３０６号公報
【特許文献３】特開平１０−１０２６４１号公報
【発明の概要】
【発明が解決しようとする課題】
【０００４】
従来、間仕切り壁及びその施工方法としては、種々な技術が開発され提案されている。しかし、本願発明が解決課題とする、階高が４ｍ以上と背が高い間仕切り壁及びその施工方法に関しては、見るべき対案や先行技術が見当たらない。
例えば上記の特許文献１、２には、間仕切り壁及びその施工方法の一般的な先行技術として、天井面と床上面とに夫々下向きコ字形断面の上部ランナーと、及び上向きコ字形断面の下部ランナーとを、各々の受け溝が上下に相対向する配置に設置し、これら上・下部のランナーの受け溝内へスタッドを建て込み、前記スタッドの両面に沿って間仕切り壁面材を取付けて固定する間仕切り壁及びその施工方法が開示されているにすぎない。
なお、上記特許文献２の図１〜図１０には、下部ランナーの受け溝を形成する両側のフランジの内面の同じ高さ位置に水平に突き出る棚部が形成され、スタッドの下面は前記棚部の上に載せて建てる構成である点が一応注目される。
【０００５】
また、上記の特許文献３に開示された間仕切り壁も、やはり天井面に下向きコ字形断面の上部ランナーを、床上面に上向きコ字形断面の下部ランナーを、各々の受け溝が上下に相対向する配置に設置し、上・下部ランナーの受け溝内へスタッドを建て込み、前記スタッドの両面に間仕切り壁面材（内装ボード）を取付けて固定した構造と認められる。前記の間仕切り壁面材は、補強材をサンドイッチ構造に挟んだ２枚のボードで構成されている。
【０００６】
要するに、先行技術として見聞される間仕切り壁及びその施工方法は、上記の特許文献１〜３に代表されるように、通常の階高の室に設置される間仕切り壁を如何にして建て込むかを苦心したものでしかなく、本願発明が目的とするように階高が高い室に適用する背の高い間仕切り壁及びその施工を、仮設足場を用意することなく簡易に設置できるように工夫した内容ではない。
【０００７】
本発明の目的は、敢えて例示すると４ｍを超えて１１ｍに及ぶほどに背が高く、階高の高い室に対応可能な間仕切り壁パネルの設置施工のために仮設足場を用意する必要がなく、間仕切り壁パネルを立て起こしたり、取付け位置への短距離移動のために、せいぜいフォークリフトや天井クレーン、或いは高所作業車を使用する程度の簡易な手法で、背の高い間仕切り壁パネルを上部ランナー及び下部のランナーの受け溝内へ建て込む作業及び固定の作業などができる構造に工夫した間仕切り壁及びその施工方法を提供することである。
本発明の次の目的は、断面がコ字形をなし、天井部と床部へ各々の受け溝を上下に相対向する配置で設置した上部ランナー及び下部ランナーの受け溝内へ、上記の背が高い間仕切り壁パネルを所謂ケンドン式の建て込み方法で効率よく建て込み設置することができ、仮設材及び労働力の削減と、工期の短縮化を図れる構成の間仕切り壁およびその施工方法を提供することである。
【課題を解決するための手段】
【０００８】
上記の課題を解決する手段として、請求項１に記載した発明に係る間仕切り壁は、
高い階高の室に対応可能に背が高い間仕切り壁パネル１を使用した間仕切り壁であって、
前記室内の天井部２に設置した、下向きにコ字形断面の受け溝３ａを有する上部ランナー３は、受け溝３ａを形成する一方のフランジ３ｂが、対面する他方のフランジ３ｃよりもケンドン式の建て込みが可能なように長く突き出された構成であり、
前記室内の床部４に設置した、上向きにコ字形断面の受け溝５ａを有する下部ランナー５は、その受け溝５ａが前記上部ランナー３の受け溝３ａと上下に相対向する配置とされ、
間仕切り壁パネル１は、その下端部が下部ランナー５の受け溝５ａ内で支持され、同間仕切り壁パネル１の上端部は上部ランナー３の受け溝３ａを形成する一方の下方へ長く突き出されたフランジ３ｂと他方の短いフランジ３ｃとで形成された受け溝３ａ内へ一定の呑み込み代ｍを確保した深さはめ込まれ支持されていることを特徴とする。
【０００９】
請求項２に記載した発明に係る間仕切り壁の施工方法は、
高い階高の室に対応可能に背が高い間仕切り壁パネル１を建て込む間仕切り壁の施工方法であって、
前記室の天井部２の下面へ、下向きにコ字形断面の受け溝３ａを形成する一方のフランジ３ｂが、対面する他方のフランジ３ｃよりもケンドン式の建て込みが可能に長く突き出された構成の上部ランナー３を設置する工程と、
前記室の床部４に、両側のフランジ５ｂ、５ｂが上向きにコ字形断面の受け溝５ａを形成した構成の下部ランナー５を、その受け溝５ａが前記上部ランナー３の受け溝３ａと上下に相対向する配置に設置する工程と、
階高が高い室に対応できる、背が高い間仕切り壁パネル１は、その上部を、上部ランナー３の受け溝３ａを形成する一方の下方へ長く突き出したフランジ３ｂの内側面へ持たれ掛からせた傾斜姿勢に仮支持させ、その傾斜姿勢のまま同上部を同フランジ面に沿って滑らせつつ上方へせり上げるケンドン式で受け溝３ａ内へ差し込み、垂直姿勢に立て起こして同間仕切り壁パネル１の下端部を下部ランナー５の受け溝５ａ内へ差し入れて支持させる工程とを特徴とする。
【００１０】
請求項３に記載した発明は、請求項１に記載した間仕切り壁において、
下部ランナー５は、上向きにコ字形断面の受け溝５ａを形成する両側のフランジ５ｂ、５ｂの内面であって、間仕切り壁パネル１の呑み込み代ｎの深さ位置に、同間仕切り壁パネル１の下端を支持する突出部ｃが水平に相対峙する配置で設けられており、間仕切り壁パネル１の下端は前記突出部５ｃ上に支持されていることを特徴とする。
【発明の効果】
【００１１】
請求項１〜３に記載した発明に係る、高い階高の室に対応可能な背が高い間仕切りパネル１を使用した間仕切り壁及び同間仕切り壁の施工方法によれば、床部４へ下部ランナー５を設置する作業に作業上の問題がないことは当然として、階高が４ｍ乃至１１ｍに及ぶほど高い天井部２へ上部ランナー３を取付けて、間仕切りパネル１を立て起こし、その上端部を上部ランナー３内へ嵌め込み固定する作業も、高所作業車１３を使用することで、仮設足場を組み立てる必要もなく行うことができる。
そして、上記の例で言えば、背の高さが１１ｍに及ぶ程に背が高い間仕切り壁パネル１のランナー３、５への建て込み作業も、同パネル１を例えば天井クレーン１２或いはフォークリフト１４を使用して立て起こし、同パネル１の上部を、上部ランナー３の受け溝３ａを形成する一方の下方へ長く突き出されたフランジ３ｂの内面側へ図１に２点鎖線で例示したように持たれ掛からせた傾斜姿勢に仮支持させる。その上で前記傾斜姿勢の間仕切り壁パネル１の上部を前記フランジ３ｂの面に沿って滑らせつつ上方へ持ち上げる、所謂ケンドン式にて上部ランナー３の受け溝３ａ内へ差し入れて垂直姿勢に立てる。続いて垂直姿勢とした間仕切り壁パネル１を上部ランナー３の受け溝３ａの余裕寸法を利用して持ち上げ、その下端部を同下部ランナー５の受け溝５ａ内へ嵌め込むことで、建て込みを行うことができる。かくして当該間仕切り壁パネルの下端は下部ランナーの水平な突出部上へ載せて支持させることができる。
上記のとおりで、背の高い間仕切り壁パネル１の建て込み作業のために、仮設足場を設置する必要はなく、仮設足場の組み立てに要する労力を省け、工期の短縮化が図れ、仮設足場資材等の用意に必要な費用の削減を図ることができる。
【００１２】
本発明の間仕切り壁によれば、間仕切り壁パネル１として軽量で断熱性が良好なパネルを採用して実施することが可能である。そして、必要に応じて、上部ランナー３及び下部ランナー５の受け溝３ａ、５ａ内の余裕とされる空洞部へグラスウールを充填して、遮音性と保温性が高い構成とすることができる。
また、間仕切り壁パネル１の下端を、下部ランナー５の水平な突出部５ｃの上へ載せて支持させると、降雨時や施工時の必要で床面に浸水が流れても、間仕切り壁パネル１に直接悪影響が及ぶことは少なく、そして、同浸水は流れ易く、長らく残置する不都合も少ないのである。
【図面の簡単な説明】
【００１３】
【図１】本発明による間仕切り壁の垂直断面図であり、間仕切り壁パネルをケンドン式で建て込む要領を併記している。
【図２】本発明による間仕切り壁の設置状況を示す正面図である。
【図３】背が高い間仕切り壁パネルを立て起こす作業の要領を説明した図である。
【図４】背が高い間仕切り壁パネルを立て起こす作業の異なる要領を説明した図である。
【発明を実施するための形態】
【００１４】
本発明は、階高が高い室内に対応できる、背が高い間仕切り壁パネル１を使用した間仕切り壁として実施する。
前記室の天井部２に設置した下向きにコ字形断面の受け溝３ａを有する上部ランナー３は、受け溝３ａを形成する一方のフランジ３ｂが、対面する他方のフランジ３ｃよりもケンドン式の建て込みが可能に長く突き出されている。
前記室の床部４に設置した上向きにコ字形断面の受け溝５ａを有する下部ランナー５は、受け溝５ａを形成する両側のフランジ５ｂ、５ｂの背の高さは等しく、同受け溝５ａは前記上部ランナー３の受け溝３ａと上下に相対向する配置で設置され、両側のフランジ３ｂの内面には間仕切り壁パネル１の呑み込み代ｎを確保した位置に、前記間仕切り壁パネル１の下端を支持する突出部５ｃが水平に相対峙する配置で設けられている。
間仕切り壁パネル１は、その下端部が下部ランナー５の受け溝５ａ内で支持され、同間仕切り壁パネル１の上端部は上部ランナー３の受け溝３ａを形成する一方の下方へ長く突き出されたフランジ３ｂと他方の短いフランジ３ｃとで形成された受け溝３ａ内へ一定の呑み込み代ｍを確保した長さ嵌め込まれ支持されている。
【００１５】
また、上記の階高が高い室に対応できる、背が高い間仕切り壁パネル１を使用する間仕切り壁の施工方法は、前記室の天井部２の下面へ、下向きにコ字形断面の受け溝３ａを形成する一方のフランジ３ｂが対面する他方のフランジ３ｃよりもケンドン式の建て込みが可能に長く突き出された構成の上部ランナー３を設置する工程と、
前記室の床部４には、両側のフランジ３ｂ、３ｂが上向きにコ字形断面の受け溝５ａを形成した構成の下部ランナー５を、その受け溝５ａが前記上部ランナー３の受け溝３ａと上下に相対向する配置に設置する工程と、
階高が高い室に対応できる、背が高い間仕切り壁パネル１は、その上部を、上部ランナー３の受け溝３ａを形成する一方の下方へ長く突き出したフランジ３ｂの内側面へ持たれ掛からせた傾斜姿勢に仮支持させ、その傾斜姿勢のまま上端部を同フランジ面に沿って滑らせつつ上方へせり上げるケンドン式で受け溝３ａ内へ差し込み、垂直姿勢に立て起こして、同間仕切り壁パネル１の下端部を下部ランナー５の受け溝５ａ内へ差し入れて支持させる工程とで実施する。
【実施例１】
【００１６】
以下に、本発明を、図示した実施例に基づいて説明する。
先ず図１には、本発明により施工した間仕切り壁の主要構造を、断面図として示している。この実施例は、階高Ｈが例えば４ｍないし１１ｍと高い室に対応可能なように、背が相応に高い間仕切り壁パネル１を使用した間仕切り壁の断面構造図である。因みに、このように背が高い間仕切り壁パネル１の構造は、詳細に図示することは省略したが、一例として芯となる断熱材の外面を薄い塗装鉄板や亜鉛アルミ合金メッキ鋼板などで覆った構成で製作される。
図１の間仕切り壁を構成する主な要素として、前記室の天井部２（天井スラブ面又は梁下面など）に、下向きにコ字形断面の受け溝３ａを有する上部ランナー３が、天井部２へ後付け又は先付けで設けた複数のアンカーボルト１０により強固に固定して設置されている。この上部ランナー３の受け溝３ａを形成する一方のフランジ３ｂは、図１に詳示したとおり、対面する他方のフランジ３ｃよりも、後述するケンドン式の建て込み作業が可能なように長く突き出されている。因みに、該一方のフランジ３ｂの長さは、対面する他方のフランジ３ｃの長さが、一例として９０ｍｍであるのに対して、１５０ｍｍの長さに形成されている。この場合、他方のフランジ３ｃの長さ９０ｍｍには、間仕切り壁パネル１の上端部を嵌め込む呑み込み代ｍを４５ｍｍと設計して含んだ寸法例である。
【００１７】
次に、上記室内の床部４には、上向きにコ字形断面の受け溝５ａを有する下部ランナー５が、その受け溝５ａが上記した上部ランナー３の受け溝３ａと上下に相対向する配置とされ、床部４へ後付け又は先付けで設けた複数のアンカーボルト１０により強固に固定して設置されている。この下部ランナー５の場合は、受け溝５ａを形成する両側のフランジ５ｂ、５ｂの成は相等しく、一例として７０ｍｍに形成されている。そして、間仕切り壁パネル１の下部を嵌め込む呑み込み代ｎを３５ｍｍと設計し、前記呑み込み代ｎの深さ位置には、両側のフランジ５ｂ、５ｂの内側面に、間仕切り壁パネル１の下端を支持する突出部が水平に相対峙する配置で設けられている。受け溝５ａ内へ嵌め込まれた間仕切り壁パネル１の下端は、前記突出部５ｃ、５ｃにより支持され、床部４の面上にに約３５ｍｍ程度を浮かした支持構造とされている。したがって、降雨時や施工時の必要により床面に浸水Ｗが流れても、間仕切り壁パネルに直接悪影響が及ぶことは少ない。そして、同浸水Ｗは流れ易く、長らく残置する不都合も少ない。
【００１８】
間仕切り壁パネル１は、上記したように、その下端が下部ランナー５の受け溝５ａ内へ嵌め込まれ突出部５ｃ、５ｃ上に支持された状態で、フランジ５ｂ、５ｂの両外側から水平方向にねじ込み貫通させた複数の止めビス６、６により固定されている。また、同間仕切り壁パネル１の上端部も、上部ランナー３の受け溝３ａ内へ嵌め込まれ、設計上定めた呑み込み代ｍ（例えばｍ＝４５ｍｍ位）を確保したはめ込み状態において、例えば短いフランジ３ｃ側からねじ込まれ、間仕切り壁パネル１を貫通して、反対側の長く突き出されたフランジ３ｂにまで貫通させた長いリーマビス７により固定されている。
その他、上部ランナー３及び下部ランナー５のウエブ両側の角部には凹段部３ｄと５ｄが長手方向に形成されており、これらの凹段部３ｄと５ｄには天井部２又は床部４との隙間へモルタル８等を充填して固定度を増し、且つ仕上げ良さを確保している。
また、上部ランナー３及び下部ランナー５それぞれの受け溝３ａ、５ａが深さの余裕として形成する空洞部には、断熱材又は遮音材を充填することができる。
【００１９】
上記のようにして建て込んだ間仕切り壁パネル１を、複数横並び状態に突き合わせて設置した間仕切り壁の完成した正面構造を図２に示している。因みに、本実施例の場合、間仕切り壁パネル１の左右方向の幅寸法は約１ｍとされている。
【実施例２】
【００２０】
次に、上記のように構成する間仕切り壁の施工方法について説明する。
高い階高Ｈの室に対応できるように背が高い間仕切り壁パネル１を、上・下部のランナー３、５の受け溝３ａ、５ａ内へ建て込む施工方法としては、先ず前記室の天井部２の下面及び床部４上へ、上・下部のランナー３、５を設置することから始める。
その準備としては、仮設足場を組む代わりの手段として、図３及び図４に例示したように、他の工事でも利用される天井クレーン１２、そして、高い階高の室に対応できる高所作業車１３、或いはフォークリフト１４などを必要数用意する。
【００２１】
その上で、先ず高所作業車１３を操縦して、天井部２へ上部ランナー３を設置する工程を進める。勿論、この上部ランナー３は、上述したように、下向きにコ字形断面の受け溝３ａを形成する一方のフランジ３ｂが、対面する他方のフランジ３ｃよりもケンドン式の建て込みが可能に長く突き出された構成である。高所作業車１３の作業ケージ１３ａに乗った作業者は、アンカーボルト１０を後付けする場合は、予め天井部２の下面に墨出しした上部ランナー３の設置位置に沿って同高所作業車１３を操縦して、アンカーボルト１０を所要のピッチで設置する。その上で、前記アンカーボルト１０の配置にしたがい、高所作業車１３を操縦して前記上部ランナー３のウエブ面を天井部２へ押し付け、仮止めしておいて、各アンカーボルト１０へ締結する作業を進めて天井部２へ上部ランナー３を設置する。
更に、必要に応じて、上部ランナー３のウエブ両側の角部の凹段部３ｄと天井部２との隙間へモルタル８等を充填して固定度を増し、且つ仕上げの良さを確保する作業も、併せて実施するのが好都合である。
天井クレーン１２の設置作業にも、高所作業車１３の利用が有効的である。
【００２２】
次に、床部４上では、並行作業として、両側の背の高さが等しいフランジ５ｂ、５ｂが上向きにコ字形断面の受け溝を形成して成る下部ランナー５を、その受け溝５ａが上記上部ランナー３の受け溝３ａと上下に相対向する配置に設置する工程を進める。この場合にも、アンカーボルト１０を後付けする場合は、床部５の面に墨出しした下部ランナー５の設置位置に沿ってアンカーボルト１０を所要のピッチで設置する。その上で、同床部４上に、下部ランナー５のウエブ面を床部２へ置き、仮止めしておいて、各アンカーボルト１０へ締結する作業を進める要領で、下部ランナー５の設置を進める。そして、下部ランナー５のウエブ両側の角部の凹段部３ｄと床部４との隙間へモルタル８等を充填して固定度を増し、且つ仕上げの良さを確保する作業も進めることになる。
【００２３】
上記のようにして上・下部のランナー３、５の設置が完成した段階で、階高が高い室に対応できる、背が高い間仕切り壁パネル１の立て起こしと建て込み設置の工程を進める。  この背が高い間仕切り壁パネル１の立て起こし及び建て込み設置の作業法は、およそ図３と図４のように大別して実施することができる。但し、前記２通りの作業方法には限らない。
先ず図３に示した作業方法は、天井クレーン１２を使用する方法である。
この場合、天井クレーン１２は、図３に示した如く上部ランナー３の下方へ長く突き出したフランジ３ｂの背面（外面）側へ設置しておく。後述するように上・下部のランナー３、５へ建て込まれた間仕切り壁パネル１は、次々に先順の間仕切り壁パネル１へ突き当たるように横移動させて建て付ける方法を実施するから、予め同上部ランナー３の長手方向へ移動可能に設置しておく必要がない。必要に応じて適宜に、上部ランナー３の長手方向へ移動可能に設置すればよい。そして、間仕切り壁パネル１は、その下端部が、上記のように設置した下部ランナー５の外側面に当たってそれ以上は滑り動かない向きに寝かせた状態として、同間仕切り壁パネル１の上部寄り側位置に、天井クレーン１２のワイヤー１２ａを結束する。そして、同天井クレーン１２を駆動して間仕切り壁パネル１を立て起こし、図１に例示したように、同間仕切り壁パネル１の上部を、上部ランナー３の受け溝３ａを形成する一方の、下方へ長く突き出したフランジ３ａの内側面へ持たれ掛からせた傾斜姿勢に仮支持させる。この傾斜姿勢になると、当該間仕切り壁パネル１の重量は１０ｋｇ程度であるから、前記の傾斜姿勢のまま２人の作業員が両側から持ち上げる要領で、間仕切り壁パネル１の上端部を前記フランジ面に沿って滑らせつつ上方へせり上げるケンドン式にて、上部ランナー３の受け溝３ａ内へ差し込み、同受け溝３ａの懐の深さを利用して垂直姿勢に立て起こす。そして、同間仕切り壁パネル１の下端部を下部ランナー５の受け溝５ａ内へ差し入れて支持させることで、とりあえずこの１枚の間仕切り壁パネル１の建て込み作業を終了する。
【００２４】
一方、図４に示す作業法は、フォークリフト１４を使用する方法である。
この場合にも、間仕切り壁パネル１は、その下端部が、下部ランナー５の外側面に当たってそれ以上は滑り動かない向きに寝かせ、同間仕切り壁パネル１の上端部側位置にフォークリフト１４に専用の立て起こし治具１４ａを設置して支持させる。そして、フォークリフト１４の操縦により、同立て起こし治具１４ａを、フォークリフト１４のフォークで支持させる。その上でフォークリフト１４を下部ランナー５に向かってゆっくり前進させつつ、フォーク支持腕１４ｂを垂直上方向へ伸長動作させることにより、間仕切り壁パネル１の立て起こしを進める。この作業の前提として、立て起こし治具１４ａには、間仕切り壁パネル１の支持部位に間仕切り壁パネル１の支持点を順次に滑らせるローラ（又はホイール）若しくは滑り材を設けておき、前記間仕切り壁パネル１の立て起こし動作を容易にする。
かくして間仕切り壁パネル１の上部を、上部ランナー３の受け溝３ａを形成する一方の下方へ長く突き出したフランジ３ａの内側面へ持たれ掛からせた傾斜姿勢に仮支持させた後は、図３で説明したと同じく、その傾斜姿勢を保ちつつ２人の作業員が両側から持ち上げる要領で、間仕切り壁パネル１の上端部を前記フランジ面に沿って滑らせて上方へせり上げるケンドン式にて、上部ランナー３の受け溝３ａ内へ差し込む。更に、同受け溝３ａの懐の深さを利用して垂直姿勢に立て起こし、同間仕切り壁パネル１の下端部を下部ランナー５の受け溝５ａ内へ差し入れて支持させる。
【００２５】
その後、上・下部のランナー３、５へ建て込まれた間仕切り壁パネル１は、次々に先順の間仕切り壁パネル１へ突き当たるように横移動させて、図２のような設置状態とする。こうして設置位置が確定した段階で、やはり高所作業車１３を利用するなどして、各間仕切り壁パネル１の上端部および下端部をそれぞれ、リーマビス７、止めビス６をねじ込んで上・下部のランナー３、５へ強固に固定して設置作業は完成する。
したがって背が高い間仕切りパネル１を使用しても、間仕切り壁及び同間仕切り壁の施工のためには仮設足場等の組立は無用である。よって、仮設足場の組み立てに要する労力を省け、工期の短縮、および仮設足場資材等に必要な費用の削減を図ることができる。
【００２６】
以上に本発明を図示した実施例に基づいて説明したが、もとより本発明の要旨は図示した実施例に限定されるものではない。所謂当業者が必要に応じて行う設計変更その他の変形・応用の範囲などを当然に含む発明であることを念のため言及する次第である。
【符号の説明】
【００２７】
１          間仕切りパネル
２          天井部
３          上部ランナー
４          床部
３ａ、５ａ  受け溝
３ｂ        長く突き出されたフランジ
【図１】
2012007337.tif 000003
【図２】
2012007337.tif 000004
【図３】
2012007337.tif 000005
【図４】
2012007337.tif 000006